(57)【要約】【課題】２枚の板状部材の隙間に他の部材が入り込むことを抑制すること。【解決手段】本開示の回転機構は、第１板状部材と、第２板状部材と、回転軸とを備える。回転軸は、前記第１板状部材の板面と前記第２板状部材の板面とが平行になるまで開いた第１状態と、前記第１状態よりも閉じた第２状態との間で、前記第１板状部材と前記第２板状部材とを開閉させる。前記第１板状部材の縁には、複数の第１突出部と、複数の第１凹部とが形成されており、前記第２板状部材の縁には、複数の第２突出部と、複数の第２凹部とが形成されている。前記第１状態では、前記第１突出部は前記第２凹部に配置され、前記第２突出部は前記第１凹部に配置される。前記第２状態では、前記第１突出部の少なくとも一部が前記第２突出部の間に配置され、前記第２突出部の少なくとも一部が前記第１突出部の間に配置される。【選択図】図１
2019108936.tif 000002
【特許請求の範囲】
【請求項１】
第１板状部材と、
第２板状部材と、
前記第１板状部材の板面と前記第２板状部材の板面とが平行になるまで開いた第１状態と、前記第１状態よりも閉じた第２状態との間で、前記第１板状部材と前記第２板状部材とを開閉させる回転軸と、
を備え、
前記第１板状部材の縁には、複数の第１突出部と、複数の第１凹部とが形成されており、
前記第２板状部材の縁には、複数の第２突出部と、複数の第２凹部とが形成されており、
前記第１状態では、前記第１突出部は前記第２凹部に配置され、前記第２突出部は前記第１凹部に配置されており、
前記第２状態では、前記第１突出部の少なくとも一部が前記第２突出部の間に配置され、前記第２突出部の少なくとも一部が前記第１突出部の間に配置される
ことを特徴とする開閉機構。
【請求項２】
請求項１に記載の開閉機構であって、
前記第１凹部は、前記第２突出部に適合した形状であり、
前記第２凹部は、前記第１突出部に適合した形状であることを特徴とする開閉機構。
【請求項３】
請求項１又は２に記載の開閉機構であって、
前記第２状態を前記回転軸に平行な方向から見たとき、前記第１突出部の端部は、前記第２板状部材の内側表面よりも突出するとともに、前記第２突出部の端部は、前記第１板状部材の内側表面よりも突出することを特徴とする開閉機構。
【請求項４】
請求項３に記載の開閉機構であって、
前記第２状態を前記回転軸に平行な方向から見たとき、前記第１突出部の端部は、前記第２板状部材の前記内側表面と外側表面との間に位置するとともに、前記第２突出部の端部は、前記第１板状部材の前記内側表面と外側表面との間に位置することを特徴とする開閉機構。
【請求項５】
請求項３に記載の開閉機構であって、
前記第２状態を前記回転軸に平行な方向から見たとき、前記第１突出部の端部は、前記第２板状部材の外側表面よりも突出するとともに、前記第２突出部の端部は、前記第１板状部材の外側表面よりも突出することを特徴とする開閉機構。
【請求項６】
請求項１〜５のいずれかに記載の開閉機構であって、
前記第１板状部材は、光コネクタを着脱可能な複数のアダプタを有するトレイの底板であり、
前記第２板状部材は、前記トレイの開閉蓋であり、
前記底板の上で、前記アダプタに接続された前記光コネクタから延び出た光ファイバが湾曲して配線され、
前記開閉蓋は、前記第２状態で前記複数のアダプタに対向して配置され、
前記第２突出部の幅は、前記第１突出部の幅よりも長いことを特徴とする開閉機構。
【発明の詳細な説明】
【技術分野】
【０００１】
本発明は、開閉機構に関する。
【背景技術】
【０００２】
開き戸や開き蓋などのように、２枚の板状部材を開閉させる開閉機構が広く知られている。このような開閉機構では、２枚の板状部材をヒンジ（蝶番）で連結し、２枚の板状部材を開閉させることが広く行われている。また、２枚の板状部材を開いたときに、２枚の板状部材の面をフラットにさせることも広く行われている。
なお、特許文献１には、開閉機構に用いられる蝶番が記載されている。また、特許文献１には、光コードを載せるトレイにヒンジ部の設けられた光成端ユニットが記載されている。
【先行技術文献】
【特許文献】
【０００３】
【特許文献１】特開２０１７−２０１１０３号公報
【発明の概要】
【発明が解決しようとする課題】
【０００４】
図７Ａ〜図７Ｃは、従来の開閉機構の説明図である。図７Ａに示すように、２枚の板状部材を開いて２枚の板状部材の面をフラットにさせたとき、２枚の板状部材の縁が合うことによって、２枚の板状部材の隙間が閉じられている。但し、図７Ｂ及び図７Ｃに示すように、２枚の板状部材を閉じたとき、２枚の板状部材の縁が離間して、細長い隙間が形成される。この細長く延びた隙間に光ファイバ等の部材が入り込んでしまうと、２枚の板状部材を再び開いたときに、その部材（例えば光ファイバ）が２枚の板状部材の縁に挟み込まれて損傷するおそれがある。
【０００５】
本発明は、２枚の板状部材の隙間に他の部材が入り込むことを抑制することを目的とする。
【課題を解決するための手段】
【０００６】
上記目的を達成するための主たる発明は、
第１板状部材と、
第２板状部材と、
前記第１板状部材の板面と前記第２板状部材の板面とが平行になるまで開いた第１状態と、前記第１状態よりも閉じた第２状態との間で、前記第１板状部材と前記第２板状部材とを開閉させる回転軸と、
を備え、
前記第１板状部材の縁には、複数の第１突出部と、複数の第１凹部とが形成されており、
前記第２板状部材の縁には、複数の第２突出部と、複数の第２凹部とが形成されており、
前記第１状態では、前記第１突出部は前記第２凹部に配置され、前記第２突出部は前記第１凹部に配置されており、
前記第２状態では、前記第１突出部の少なくとも一部が前記第２突出部の間に配置され、前記第２突出部の少なくとも一部が前記第１突出部の間に配置される
ことを特徴とする開閉機構である。
【０００７】
本発明の他の特徴については、後述する明細書及び図面の記載により明らかにする。
【発明の効果】
【０００８】
本発明によれば、２枚の板状部材の隙間に他の部材が入り込むことを抑制できる。
【図面の簡単な説明】
【０００９】
【図１】図１Ａ〜図１Ｃは、第１実施形態の開閉機構１の説明図である。
【図２】図２は、第１状態の開閉機構１の上面図である。
【図３】図３Ａ〜図３Ｃは、第１変形例の説明図である。
【図４】図４Ａ〜図４Ｃは、第２変形例の説明図である。
【図５】図５は、第２実施形態の説明図である。
【図６】図６は、第２実施形態の開閉蓋５２２を開いた状態（第１状態、開状態）の上面図である。
【図７】図７Ａ〜図７Ｃは、従来の開閉機構の説明図である。
【発明を実施するための形態】
【００１０】
後述する明細書及び図面の記載から、少なくとも以下の事項が明らかとなる。
【００１１】
第１板状部材と、
第２板状部材と、
前記第１板状部材の板面と前記第２板状部材の板面とが平行になるまで開いた第１状態と、前記第１状態よりも閉じた第２状態との間で、前記第１板状部材と前記第２板状部材とを開閉させる回転軸と、
を備え、
前記第１板状部材の縁には、複数の第１突出部と、複数の第１凹部とが形成されており、
前記第２板状部材の縁には、複数の第２突出部と、複数の第２凹部とが形成されており、
前記第１状態では、前記第１突出部は前記第２凹部に配置され、前記第２突出部は前記第１凹部に配置されており、
前記第２状態では、前記第１突出部の少なくとも一部が前記第２突出部の間に配置され、前記第２突出部の少なくとも一部が前記第１突出部の間に配置される
ことを特徴とする開閉機構が明らかとなる。
このような開閉機構によれば、２枚の板状部材の隙間に他の部材が入り込むことを抑制できる。
【００１２】
前記第１凹部は、前記第２突出部に適合した形状であり、前記第２凹部は、前記第１突出部に適合した形状であることが望ましい。これにより、第１状態のときに隙間を閉じることができる。
【００１３】
前記第２状態を前記回転軸に平行な方向から見たとき、前記第１突出部の端部は、前記第２板状部材の内側表面よりも突出するとともに、前記第２突出部の端部は、前記第１板状部材の内側表面よりも突出することが望ましい。これにより、他の部材が第１板状部材に平行な方向や第２板状部材に平行な方向から隙間に入り込むことを抑制できる。
【００１４】
前記第２状態を前記回転軸に平行な方向から見たとき、前記第１突出部の端部は、前記第２板状部材の前記内側表面と外側表面との間に位置するとともに、前記第２突出部の端部は、前記第１板状部材の前記内側表面と外側表面との間に位置することが望ましい。これにより、第２状態のときに第１突出部及び第２突出部が邪魔にならずに済む。
【００１５】
前記第２状態を前記回転軸に平行な方向から見たとき、前記第１突出部の端部は、前記第２板状部材の外側表面よりも突出するとともに、前記第２突出部の端部は、前記第１板状部材の外側表面よりも突出することが望ましい。これにより、他の部材が隙間に入り込むことを更に抑制できる。
【００１６】
前記第１板状部材は、光コネクタを着脱可能な複数のアダプタを有するトレイの底板であり、前記第２板状部材は、前記トレイの開閉蓋であり、前記底板の上で、前記アダプタに接続された前記光コネクタから延び出た光ファイバが湾曲して配線され、前記開閉蓋は、前記第２状態で前記複数のアダプタに対向して配置され、前記第２突出部の幅は、前記第１突出部の幅よりも長いことが望ましい。これにより、湾曲した光ファイバが隙間に入り込むことを効果的に抑制できる。
【００１７】
＝＝＝第１実施形態＝＝＝
図１Ａ〜図１Ｃは、第１実施形態の開閉機構１の説明図である。
【００１８】
開閉機構１は、２枚の板状部材（第１板状部材１０及び第２板状部材２０）と、２枚の板状部材を開閉させる回転軸３０Ａとを有する。図１Ａに示すように、２枚の板状部材が１８０度に開くことによって、２枚の板状部材の板面がフラットなる。ここでは、第１板状部材１０の板面と第２板状部材２０の板面がほぼ同じ面になっているが、第１板状部材１０の板面と第２板状部材２０の板面との間に若干の段差があっても良い。
【００１９】
以下の説明では、図１Ａに示す状態のように、第１板状部材１０の板面と第２板状部材２０の板面とが平行な状態のことを「第１状態」又は「開状態」と呼ぶことがある。図１Ａに示す第１状態から２枚の板状部材を９０度閉じると、図１Ｂに示す状態になる。以下の説明では、図１Ｂに示す状態のことを「第２状態」又は「閉状態」と呼ぶことがある。なお、第１状態から第２状態になるまでの２枚の板状部材の閉じる角度は、９０度に限られるものではない。
【００２０】
また、以下の説明では、回転軸３０Ａに平行な方向のことを「Ｘ方向」と呼ぶことがある。また、Ｘ方向と直交し、第１板状部材１０に平行な方向のことを「Ｙ方向」と呼ぶことがある。また、Ｘ方向と直交し、第２状態の第２板状部材２０に平行な方向のことを「Ｚ方向」と呼ぶことがある。なお、第１板状部材１０は「ＸＹ平面」に平行である。また、第２板状部材２０は、第１状態では「ＸＹ平面」に平行である。第２板状部材２０は、第２状態では「ＸＺ平面」に平行である。本実施形態では、Ｚ方向は、Ｘ方向及びＹ方向と直交する方向になる。
【００２１】
本実施形態では、回転軸３０Ａは、ヒンジ３０（蝶番）に設けられている。本実施形態のヒンジ３０は、回転軸３０Ａと２枚の羽根部（第１羽根部３１及び第２羽根部３２）を有する２枚羽根構造である。第１羽根部３１が第１板状部材１０に固定されており、第２羽根部３２が第２板状部材２０に固定されており、ヒンジ３０の回転軸３０Ａによって２枚の板状部材が開閉可能に構成されている。第１羽根部３１及び第２羽根部３２は、第２状態における入隅側となる面（内側表面）に固定されている。但し、第１羽根部３１及び第２羽根部３２が、第２状態における出隅側となる面（外側表面）に固定されていても良い。また、ヒンジ３０は、本実施形態とは異なる形状・種類でも良い。後述するように、ヒンジ３０を用いずに２枚の板状部材を回転軸３０Ａで開閉させるように開閉機構１を構成しても良い。
【００２２】
第１板状部材１０の縁（第２板状部材２０に隣接する縁、Ｘ方向に沿った縁）には、Ｘ方向に沿って第１突出部１１及び第１凹部１２が設けられている。第１板状部材１０の縁には、複数の第１突出部１１が設けられており、第１突出部１１と第１突出部１１との間に第１凹部１２が設けられている。つまり、第１板状部材１０の縁には、第１突出部１１と第１凹部１２とが交互に設けられている。
【００２３】
第１突出部１１は、縁から外側に向かって突出した部位である。第１突出部１１は、第２状態（閉状態）のときに隙間の一部を塞ぐ部位である。本実施形態では、第１突出部１１は、矩形状に形成された部位であるが、後述するように、この形状に限られるものではない。
【００２４】
第１凹部１２は、縁から内側に凹んだ部位である。第１凹部１２は、第１状態（開状態）のときに第２板状部材２０の第２突出部２１（後述）が入り込む部位である。本実施形態では、第１凹部１２は、第２突出部２１の外形に適合する形状になっている。これにより、第１状態のときに隙間を閉じることができる。但し、後述するように、第１凹部１２の形状が、第２突出部２１の外形に適合していなくても良い。
【００２５】
第２板状部材２０の縁（第１板状部材１０に隣接する縁、Ｘ方向に沿った縁）には、Ｘ方向に沿って第２突出部２１及び第２凹部２２が設けられている。第２板状部材２０の縁には、複数の第２突出部２１が設けられており、第２突出部２１と第２突出部２１との間に第２凹部２２が設けられている。つまり、第２板状部材２０の縁には、第２突出部２１と第２凹部２２とが交互に設けられている。
【００２６】
第２突出部２１は、縁から外側に向かって突出した部位である。第２突出部２１は、第２状態（閉状態）のときに隙間の一部を塞ぐ部位である。本実施形態では、第２突出部２１は、矩形状に形成された部位であるが、後述するように、この形状に限られるものではない。
【００２７】
第２凹部２２は、縁から内側に凹んだ部位である。第２凹部２２は、第１状態（開状態）のときに第１板状部材１０の第１突出部１１が入り込む部位である。本実施形態では、第２凹部２２は、第１突出部１１の外形に適合する形状になっている。これにより、第１状態のときに隙間を閉じることができる。但し、後述するように、第２凹部２２の形状が、第１突出部１１の外形に適合していなくても良い。
【００２８】
図２は、第１状態の開閉機構１の上面図（Ｚ方向から見た図）である。図中には、２つの回転軸３０Ａを結ぶ点線が示されている。図２に示すように、第１板状部材１０の第１突出部１１の端部は、２つの回転軸３０Ａを結ぶ線（点線）に対して、第２板状部材２０の側に位置している（入り込んでいる）。逆に、第２板状部材２０の第２突出部２１の端部は、２つの回転軸３０Ａを結ぶ線（点線）に対して、第１板状部材１０の側に位置している（入り込んでいる）。
【００２９】
第１状態（開状態）では、図１Ａ及び図２に示すように、第１板状部材１０の第１突出部１１と第１突出部１１との間に、第２板状部材２０の第２突出部２１が配置されているとともに、第２板状部材２０の第２突出部２１と第２突出部２１との間に、第１板状部材１０の第１突出部１１が配置されている。また、第１状態では、上から見たときに（板面に垂直な方向から見たときに）、２つの回転軸３０Ａを結ぶ線上に第１突出部１１及び第２突出部２１が交互に配置されている。言い換えると、第１状態では、第１突出部１１が第２凹部２２に配置され、第２突出部２１が第１凹部１２に配置されている。これにより、第１状態では、第１板状部材１０と第２板状部材２０との間の隙間を低減できる。
【００３０】
また、第２状態（閉状態）では、図１Ｂ及び図１Ｃに示すように、第１板状部材１０の第１突出部１１と第１突出部１１との間に、第２板状部材２０の第２突出部２１の少なくとも一部（ここでは第２突出部２１の端部）が配置されている。また、第２状態（開状態）では、第２板状部材２０の第２突出部２１と第２突出部２１との間に、第１板状部材１０の第１突出部１１の少なくとも一部（ここでは第１突出部１１の端部）が配置されている。これにより、第２状態のときに隙間を低減できる。なお、図７Ｂに示す開閉機構では、第２状態のときにＸ方向に連続した隙間（細長い隙間）が形成されていたのと比べると、本実施形態では、第１突出部１１及び第２突出部２１によって隙間が不連続になる。このため、本実施形態では、２枚の板状部材の隙間に他の部材が入り込み難くなる。
【００３１】
図１Ｃに示すように、第２状態をＸ方向から見たとき、第１突出部１１の端部は、第２板状部材２０の内側表面（及び内側表面の延長面：図１Ｃの点線参照）よりも突出することが望ましい。これにより、第２状態の開閉機構１をＺ方向から見たときに、第１突出部１１によって隙間が分断されるため、他の部材がＺ方向から隙間に入り込むことを抑制できる。同様に、第２突出部２１の端部は、第１板状部材１０の内側表面（及び内側表面の延長面：図１Ｃの点線参照）よりも突出することが望ましい。これにより、第２状態の開閉機構１をＹ方向から見たときに、第２突出部２１によって隙間が分断されるため、他の部材がＹ方向から隙間に入り込むことを抑制できる。
【００３２】
また、図１Ｃに示すように、第２状態をＸ方向から見たとき、第１突出部１１の端部は、第２板状部材２０の外側表面（及び外側表面の延長面：図１Ｃの点線参照）から突出しないことが望ましい。同様に、第２状態のとき、第２突出部２１の端部は、第１板状部材１０の外側表面（及び外側表面の延長面：図１Ｃの点線参照）から突出しないことが望ましい。言い換えると、図１Ｃに示すように、第２状態をＸ方向から見たとき、第１突出部１１の端部は、第２板状部材２０の内側表面と外側表面との間（図１Ｃに示す２本の点線の間）に位置することが望ましい。同様に、第２状態をＸ方向から見たとき、第２突出部２１の端部は、第１板状部材１０の内側表面と外側表面との間（図１Ｃに示す２本の点線の間）に位置することが望ましい。これにより、第２状態のときに、第１突出部１１及び第２突出部２１が第２板状部材２０及び第１板状部材１０の出隅側から突出しないため、第１突出部１１及び第２突出部２１が邪魔にならずに済む。
【００３３】
＜第１変形例＞
図３Ａ〜図３Ｃは、第１変形例の説明図である。前述の第１突出部１１及び第２突出部２１は、矩形状に形成されていたのに対し、この第１変形例では、第１突出部１１及び第２突出部２１が丸みを帯びて、縁が曲線的な波形になるように構成されている。
【００３４】
第１変形例においても、第１状態では、第１突出部１１は第２凹部２２に配置され、第２突出部２１は第１凹部１２に配置されている。これにより、第１状態では、第１板状部材１０と第２板状部材２０との間の隙間が低減されている。また、第１変形例においても、第２状態では、第１突出部１１の少なくとも一部が第２突出部２１の間に配置され、第２突出部２１の少なくとも一部が第１突出部１１の間に配置されている。これにより、第２状態においても、隙間が低減されている。
【００３５】
また、第１変形例においても、第１凹部１２は、第２突出部２１に適合した形状に構成されており、第２凹部２２は、第１突出部１１に適合した形状に構成されている。これにより、第１状態では、第１板状部材１０と第２板状部材２０との隙間を閉じることができる。
【００３６】
なお、第１変形例では、図３Ｃに示すように、第２状態をＸ方向から見たときに、第１突出部１１の端部が、第２板状部材２０の外側表面よりも突出している（これに対し、前述の実施形態では、図１Ｃに示すように、第１突出部１１の端部は、第２板状部材２０の外側表面から突出していない）。同様に、第１変形例では、第２状態をＸ方向から見たときに、第２突出部２１の端部が、第１板状部材１０の外側表面よりも突出している。これにより、仮に第２状態よりも更に開閉機構１が閉じられたとしても、Ｘ方向に連続した隙間（細長い隙間）は形成され難くなる。
【００３７】
＜第２変形例＞
図４Ａ〜図４Ｃは、第２変形例の説明図である。第２変形例では、第１突出部１１及び第２突出部２１が三角形状に構成されており、縁の外側ほど幅が狭まるように突出して形成されている。
【００３８】
第２変形例では、第１凹部１２は第２突出部２１に適合した形状には構成されておらず、また、第２凹部２２も第１突出部１１に適合した形状には構成されていない。このため、第２変形例では、前述の開閉機構１（図１Ａ〜図１Ｃに示す第１実施形態の開閉機構１、図３Ａ〜図３Ｃに示す第１変形例の開閉機構１）と比べると、第１板状部材１０と第２板状部材２０との間に隙間が形成され易くなってしまう。但し、第２変形例においても、第１状態では、第１突出部１１は第２凹部２２に配置され、第２突出部２１は第１凹部１２に配置されている。これにより、第１状態では、第１板状部材１０と第２板状部材２０との間の隙間が低減されている。また、第２変形例においても、第２状態では、第１突出部１１の少なくとも一部が第２突出部２１の間に配置され、第２突出部２１の少なくとも一部が第１突出部１１の間に配置されている。これにより、第２状態においても、隙間が低減されている。
【００３９】
なお、第２変形例では、第２状態をＸ方向から見たとき、第１突出部１１の端部は、第２板状部材２０の内側表面と外側表面との間に位置するとともに、第２突出部２１の端部は、第１板状部材１０の内側表面と外側表面との間に位置する。これにより、第２状態のときに、他の部材がＹ方向やＺ方向から隙間に入り込むことを抑制できるとともに、第１突出部１１及び第２突出部２１が第２板状部材２０及び第１板状部材１０の出隅側から突出しないため、第１突出部１１及び第２突出部２１が邪魔にならずに済む。
【００４０】
＝＝＝第２実施形態＝＝＝
図５は、第２実施形態の説明図である。図中には、光配線ユニット５０が示されている。
【００４１】
光配線ユニット５０は、多数の光コネクタ２を収納し、多数の光ファイバ３（光コード）の配線を行うためのユニット（光配線箱）である。光配線ユニット５０は、筐体（不図示）と、複数のトレイ５２とを有している。筐体（不図示）には、トレイ５２が多段に積層配置されている。それぞれのトレイ５２には、複数のアダプタ５４を有する光モジュール５３が設けられている。アダプタ５４には、光コネクタ２を着脱可能である。トレイ５２は、アダプタ５４に複数の光コネクタ２を接続した状態で、筐体から引き出すことが可能である。トレイ５２の側面には、光ファイバ３を挿通させるための挿通口５２Ａが設けられている。
【００４２】
ここでは、図中のＹ方向に沿って光コネクタ２をアダプタ５４に着脱することになる。このため、アダプタ５４に接続されている光コネクタ２から、Ｙ方向に沿って光ファイバ３（光コード）が延び出ることになる。光コネクタ２から延び出た光ファイバ３は、Ｙ方向からＸ方向に沿うように湾曲させられて、トレイ５２の内部で挿通口５２Ａまで配線される。トレイ５２には、Ｘ方向に沿って多数のアダプタ５４が配列しているため、多数の光ファイバ３の湾曲部がＸ方向に並ぶように形成されることになる。また、光コネクタ２から延び出た光ファイバ３は、トレイ５２の底板５２１に載せられた状態で、トレイ５２の開閉蓋５２２の近傍で湾曲させられることになる。
【００４３】
トレイ５２の開閉蓋５２２は、底板５２１に対して開閉可能に構成されている。トレイ５２の底板５２１は第１板状部材１０に相当し、トレイ５２の開閉蓋５２２は第２板状部材２０に相当する。回転軸３０Ａは、トレイ５２の側板と開閉蓋５２２との間に設けられており（図６参照）、ヒンジ３０を用いずに開閉蓋５２２が開閉可能に構成されている。図中には、開閉蓋５２２を閉じた状態（第２状態）が示されている。開閉蓋５２２には固定部５２４が設けられており、固定部５２４は、開閉蓋５２２を閉じた状態（第２状態）で固定する。固定部５２４を外すと、開閉蓋５２２は、トレイ５２の底板５２１に対して１８０度開くことが可能である。これにより、アダプタ５４の清掃時に、清掃工具を底板５２１に沿って移動させ易くなり、清掃工具をアダプタ５４に挿入し易くなる。
【００４４】
図６は、第２実施形態の開閉蓋５２２を開いた状態（第１状態、開状態）の上面図である。
【００４５】
第２実施形態では、底板５２１（第１板状部材１０）の縁には、複数の第１突出部１１と、複数の第１凹部１２とが形成されており、第２板状部材２０の縁には、複数の第２突出部２１と、複数の第２凹部２２とが形成されている。そして、第２実施形態においても、第１状態では、第１突出部１１は第２凹部２２に配置され、第２突出部２１は第１凹部１２に配置されている。これにより、第１状態では、第１板状部材１０と第２板状部材２０との間の隙間が低減されている。また、第２実施形態においても、第２状態では、第１突出部１１の少なくとも一部が第２突出部２１の間に配置され、第２突出部２１の少なくとも一部が第１突出部１１の間に配置されている（図５参照）。これにより、第２状態においても、隙間が低減されている。
【００４６】
第２実施形態では、光ファイバ３が底板５２１（第１板状部材１０）の上に配線され（ＸＹ平面に沿って配線され）、第２状態では、開閉蓋５２２が複数のアダプタ５４に対向して配置されている。このような構成では、底板５２１（第１板状部材１０）と底板５２１（第１板状部材１０）との隙間にはＹ方向から光ファイバ３が入り込み易くなる。つまり、このような構成では、底板５２１（第１板状部材１０）の上に配線された光ファイバ３は、主に第２突出部２１によって隙間に入り込むことを抑制されることになる。そこで、第２実施形態では、第２突出部２１の幅が第１突出部１１の幅よりも長く構成されている。これにより、第１突出部１１と第２突出部２１の幅を等しくした場合と比べて、湾曲した光ファイバ３が隙間に入り込むことを効果的に抑制できる。
【００４７】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００４８】
１  開閉機構、２  光コネクタ、３  光ファイバ、
１０  第１板状部材、１１  第１突出部、１２  第１凹部、
２０  第２板状部材、２１  第２突出部、２２  第２凹部、
３０  ヒンジ、３０Ａ  回転軸、
３１  第１羽根部、３２  第２羽根部、
５０  光配線ユニット、５２  トレイ、５２Ａ  挿通口、
５２１  底板、５２２  開閉蓋、５２４  固定部、
５３  光モジュール、５４  アダプタ、
【図１】
2019108936.tif 000003
【図２】
2019108936.tif 000004
【図３】
2019108936.tif 000005
【図４】
2019108936.tif 000006
【図５】
2019108936.tif 000007
【図６】
2019108936.tif 000008
【図７】
2019108936.tif 000009